(57)【要約】【課題】高電圧発生装置に撮影条件を設定、変更する際の操作性を改善する。【解決手段】放射線制御装置５４の撮影条件リスト取得部５９は、高電圧発生装置に対する撮影条件の設定と、高電圧発生装置において判定された撮影条件の設定可否に関する情報の受信とを、複数種類の撮影条件を用いて繰り返し、設定可能であった撮影条件に基づいて撮影条件リスト６８を作成する。作成した撮影条件リスト６８は、ストレージ６０に記憶する。撮影条件判定部６２は、設定パネル等から撮影条件が入力されたときに、ストレージ６０の撮影条件リスト６８を参照し、入力された撮影条件が設定可能か否かを判定する。【選択図】図４
2011067543.tif 000002
【特許請求の範囲】
【請求項１】
撮影条件に基づいて発生させた高電圧をＸ線管に供給してＸ線管に放射線を発生させる高電圧発生装置から、前記高電圧発生装置に設定可能な撮影条件のリストを取得する撮影条件リスト取得手段と、
前記高電圧発生装置に撮影条件を設定するための入力手段に撮影条件が入力されたときに、前記撮影条件リストに基づいて前記高電圧発生装置に対する撮影条件の設定の可否を判定する撮影条件判定手段とを備えたことを特徴とする放射線制御装置。
【請求項２】
前記撮影条件リスト取得手段は、前記高電圧発生装置に対する撮影条件の設定と、前記高電圧発生装置において判定された撮影条件の設定可否に関する情報の受信とを、複数種類の撮影条件を用いて繰り返し、設定可能であった撮影条件に基づいて前記撮影条件リストを作成することを特徴とする請求項１記載の放射線制御装置。
【請求項３】
前記撮影条件リストの作成には、前記高電圧発生装置に設定可能か否かの境界近傍の撮影条件が用いられることを特徴とする請求項２記載の放射線制御装置。
【請求項４】
前記撮影条件リストは、前記Ｘ線管に供給する管電圧、管電流及び撮影時間の各パラメータからなる３次元テーブルであることを特徴とする請求項１〜３いずれか記載の放射線制御装置。
【請求項５】
前記高電圧発生装置において設定可能な既知の撮影条件が登録され、前記高電圧発生装置に撮影条件を設定する際に、前記撮影条件リストよりも先に撮影条件の設定可否の判定に用いられる撮影条件マスターデータと、
前記撮影条件判定手段が前記撮影条件リストを参照して前記高電圧発生装置に設定可能であると判定したときに、判定済みの撮影条件を用いて前記撮影条件マスターデータを更新するマスターデータ管理手段とを備えたことを特徴とする請求項１〜４いずれか記載の放射線制御装置。
【請求項６】
前記高電圧発生装置から前記Ｘ線管に蓄積されている蓄積熱量を取得する蓄積熱量取得手段と、
現在設定されている撮影条件を用いて撮影したときに前記Ｘ線管に蓄積される予測熱量を算出する予測熱量算出手段と、
前記蓄積熱量及び前記予測熱量と、前記Ｘ線管に蓄積可能な熱量である最大蓄積熱量とに基づいて、現在設定されている撮影条件による撮影の可否を判定する撮影可否判定手段とを備えたことを特徴とする請求項１〜５いずれか記載の放射線制御装置。
【請求項７】
前記撮影可否判定手段は、前記判定結果が撮影不可であったときに、撮影可能になるまでの待ち時間を算出することを特徴とする請求項６記載の放射線制御装置。
【請求項８】
前記撮影可否判定手段は、前記Ｘ線管に蓄積された熱量と冷却時間との関係を表す加熱・冷却特性に基づいて、前記待ち時間を算出することを特徴とする請求項７記載の放射線制御装置。
【請求項９】
前記撮影条件判定手段の判定結果、または前記撮影可否判定手段の判定結果及び待ち時間を前記入力手段に送信する判定結果通知手段を備えたことを特徴とする請求項８記載の放射線制御装置。
【請求項１０】
放射線を発生するＸ線管と、
撮影条件に基づいて発生させた高電圧をＸ線管に供給してＸ線管に放射線を発生させる高電圧発生装置と、
前記高電圧発生装置に撮影条件を設定する入力手段と、
前記高電圧発生装置及び前記入力手段を制御する請求項１〜９いずれか記載の前記放射線制御装置とを備えたことを特徴とする放射線撮影システム。
【請求項１１】
撮影条件に基づいて発生させた高電圧をＸ線管に供給してＸ線管に放射線を発生させる高電圧発生装置から、前記高電圧発生装置において設定可能な撮影条件のリストを取得するステップと、
前記高電圧発生装置に撮影条件を設定するための入力手段から撮影条件が入力されたときに、前記撮影条件リストに基づいて前記高電圧発生装置に対する設定の可否を判定するステップとを備えたことを特徴とする撮影条件設定方法。
【請求項１２】
前記撮影条件リストを取得するステップは、前記高電圧発生装置に対する撮影条件の設定と、前記高電圧発生装置から出力された撮影条件の設定可否に関する情報の受信とを複数種類の撮影条件を用いて繰り返し、設定可能であった撮影条件に基づいて前記撮影条件リストを作成することを特徴とする請求項１１記載の撮影条件設定方法。
【発明の詳細な説明】
【技術分野】
【０００１】
本発明は、Ｘ線管に高電圧を供給する高電圧発生装置を制御する放射線制御装置と、放射線制御装置を備えた放射線撮影システムと、高電圧発生装置に撮影条件を設定する撮影条件設定方法とに関する。
【背景技術】
【０００２】
Ｘ線管により被検者に放射線を照射し、被検者を透過した放射線を放射線検出器によって検出する放射線撮影システムが知られている。従来の放射線撮影システムは、撮影条件を設定する設定パネルと、撮影条件に基づいて発生させた高電圧をＸ線管に供給してＸ線管に放射線を発生させる高電圧発生装置と、設定パネルと高電圧発生装置とを制御する放射線制御装置とを備えている（例えば、特許文献１参照）。撮影条件とは、例えば撮影部位、管電圧、管電流、撮影時間等の複数種類のパラメータからなる。
【０００３】
放射線制御装置は、設定パネルで設定された撮影条件を高電圧発生装置に入力する。高電圧発生装置は、入力された撮影条件が設定可能か否か、また設定可能である場合すぐに撮影可能か否かを判定し、その判定結果を放射線制御装置に送信する。放射線制御装置は、受信した判定結果を設定パネルの表示部に表示し、術者に報知する。
【０００４】
高電圧発生装置で撮影条件の設定可否を判定するのは、Ｘ線管の種類、各パラメータの組み合わせ、撮影条件設定時点でＸ線管が蓄積している熱量を表すヒートユニット値（以下、ＨＵ値と呼ぶ）、Ｘ線管が蓄積可能な熱量の最大値を表す最大ＨＵ値等の様々な要因によって、高電圧発生装置に設定可能な撮影条件の範囲が変化するためである。また、設定可能な撮影条件による撮影可否を判定するのは、その撮影条件で撮影を行うことにより、Ｘ線管のＨＵ値が最大ＨＵ値を超えてしまう場合があるからである。
【０００５】
放射線制御装置は、高電圧発生装置の判定結果が、撮影条件の設定と即時撮影とが可能であった場合には、設定パネルによる撮影操作を許可する。また、放射線制御装置は、判定結果が、撮影条件の設定不可、あるいは即時撮影不可であった場合には、撮影条件の変更を許可する。また、判定結果が撮影条件の設定可能で即時撮影が不可であった場合には、Ｘ線管のＨＵ値の低下を待って撮影することもできる。
【先行技術文献】
【特許文献】
【０００６】
【特許文献１】特開２００３−０４７６０８号公報
【発明の概要】
【発明が解決しようとする課題】
【０００７】
従来の放射線撮影システムは、撮影条件の設定、変更を行うたびに、設定パネルと放射線制御装置、及び放射線制御装置と高電圧発生装置の間で通信を行う必要がある。このため、撮影条件の設定、変更の結果が分るまで時間がかかり、操作性が悪かった。また、高電圧発生装置の判定結果が即時撮影不可であったときに、撮影できるようになるまでの待ち時間が分らないため、結局は撮影条件の変更が必要であった。
【０００８】
上記問題を解決するため、放射線制御装置において撮影条件の設定及び即時撮影の可否を判定することが考えられる。しかし、放射線撮影システムは、専門メーカーから供給を受けたＸ線管と高電圧発生装置とを用いて構成する場合があり、高電圧発生装置が行っている撮影条件の設定及び即時撮影の可否判定の基準が明確でない場合がある。
【０００９】
本発明の目的は、高電圧発生装置に撮影条件を設定、変更する際の操作性を改善することにある。
【課題を解決するための手段】
【００１０】
本発明の放射線制御装置は、撮影条件に基づいて発生させた高電圧をＸ線管に供給してＸ線管に放射線を発生させる高電圧発生装置から、高電圧発生装置に設定可能な撮影条件のリストを取得する撮影条件リスト取得手段と、高電圧発生装置に撮影条件を設定するための入力手段に撮影条件が入力されたときに、撮影条件リストに基づいて高電圧発生装置に対する撮影条件の設定の可否を判定する撮影条件判定手段とを備えている。
【００１１】
撮影条件リスト取得手段は、高電圧発生装置に対する撮影条件の設定と、高電圧発生装置において判定された撮影条件の設定可否に関する情報の受信とを複数種類の撮影条件を用いて繰り返し、設定可能であった撮影条件に基づいて撮影条件リストを作成してもよい。
【００１２】
撮影条件リストの作成には、高電圧発生装置に設定可能か否かの境界近傍の撮影条件が用いられることが好ましい。また、撮影条件リストは、Ｘ線管に供給する管電圧、管電流及び撮影時間の各パラメータからなる３次元テーブルを用いてもよい。
【００１３】
高電圧発生装置において設定可能な既知の撮影条件が登録され、高電圧発生装置に撮影条件を設定する際に、撮影条件リストよりも先に撮影条件の設定可否の判定に用いられる撮影条件マスターデータと、撮影条件判定手段が撮影条件リストを参照して高電圧発生装置に設定可能であると判定したときに、判定済みの撮影条件を用いて撮影条件マスターデータを更新するマスターデータ管理手段とを備えてもよい。
【００１４】
高電圧発生装置からＸ線管に蓄積されている蓄積熱量を取得する蓄積熱量取得手段と、現在設定されている撮影条件を用いて撮影したときにＸ線管に蓄積される予測熱量を算出する予測熱量算出手段と、蓄積熱量及び予測熱量と、Ｘ線管に蓄積可能な熱量である最大蓄積熱量とに基づいて、現在設定されている撮影条件による撮影の可否を判定する撮影可否判定手段とを備えてもよい。
【００１５】
撮影可否判定手段は、判定結果が撮影不可であったときに、撮影可能になるまでの待ち時間を算出することが好ましい。また、撮影可否判定手段は、Ｘ線管に蓄積された熱量と冷却時間との関係を表す加熱・冷却特性に基づいて待ち時間を算出してもよい。
【００１６】
撮影条件判定手段の判定結果、または撮影可否判定手段の判定結果または待ち時間を入力手段に送信する判定結果通知手段を備えてもよい。
【００１７】
本発明の放射線撮影システムは、放射線を発生するＸ線管と、撮影条件に基づいて発生させた高電圧をＸ線管に供給してＸ線管に放射線を発生させる高電圧発生装置と、高電圧発生装置に撮影条件を設定する入力手段と、高電圧発生装置及び入力手段を制御する請求項１〜９いずれか記載の放射線制御装置とを備えている。
【００１８】
また、本発明の撮影条件設定方法は、撮影条件に基づいて発生させた高電圧をＸ線管に供給してＸ線管に放射線を発生させる高電圧発生装置から、高電圧発生装置において設定可能な撮影条件のリストを取得するステップと、高電圧発生装置に撮影条件を設定するための入力手段から撮影条件が入力されたときに、撮影条件リストに基づいて高電圧発生装置に対する設定の可否を判定するステップと、判定結果を操作パネルに送信するステップとを備えている。
【００１９】
撮影条件リストを取得するステップは、高電圧発生装置に対する撮影条件の設定と、高電圧発生装置において判定された撮影条件の設定可否に関する情報の受信とを複数種類の撮影条件を用いて繰り返し、設定可能であった撮影条件に基づいて撮影条件リストを作成してもよい。
【発明の効果】
【００２０】
本発明によれば、撮影条件が高電圧発生装置に設定可能か否かを高電圧発生装置に問い合わせる必要がないので、撮影条件の設定、変更にかかる時間が短縮され、操作性が向上する。
【図面の簡単な説明】
【００２１】
【図１】本発明の放射線撮影システムの構成を示す概略図である。
【図２】設定パネルに表示される設定画面の一例を示す画像図である。
【図３】放射線撮影システムの構成を示すブロック図である。
【図４】放射線制御装置の構成を示すブロック図である。
【図５】撮影条件リストの作成手順を示すフローチャートである。
【図６】撮影条件リストの一例を示す説明図である。
【図７】Ｘ線管の加熱・冷却極性の一例を示すグラフである。
【図８】撮影条件の設定手順を示すフローチャートである。
【発明を実施するための形態】
【００２２】
図１に示すように、本発明の放射線撮影システム１０は、撮影室１１に設置された撮影台１２、放射線発生器１３、制御ユニット１４と、操作室１５に設置されたコンソール１６から構成されている。この放射線撮影システム１０は、例えば、専門メーカーから供給を受けたＸ線管２６及び高電圧発生装置５３を用いて構成されており、本来ならば高電圧発生装置５３でしか設定可否が判定できない撮影条件を、放射線制御装置５４によって判定する。
【００２３】
撮影室１１と操作室１５は、Ｘ線の防護壁１７により隔離されている。防護壁１７には、操作室１５から撮影室１１内を見るための窓１８が設けられており、窓１８にはＸ線を防護する鉛ガラス１９が嵌め込まれている。
【００２４】
撮影台１２は、例えば被検者を横たえた状態で撮影を行う臥位撮影台であり、撮影室１１の床１１ａに設置されている。撮影台１２は、被検者が横たわるための天板２２と、天板２２の下に配置されたＸ線受像パネル２３とを備えている。
【００２５】
Ｘ線受像パネル２３は、例えば、蛍光体層と検出素子層とを備えた間接変換型のフラットパネルディテクタ（以下、ＦＰＤと呼ぶ）である。蛍光体層は、ＣｓＩ（沃化セシウム）などの蛍光体からなる層であり、入射したＸ線を可視光に変換する。検出素子層は、蛍光体層で生じた可視光を電荷に変換して蓄積するフォトダイオードと、フォトダイオードに蓄積された電荷の読み出し制御を行なうＴＦＴ（薄膜トランジスタ）スイッチとからなる画素が二次元マトリクス状に配列されたセンサマトリクスである。なお、Ｘ線受像パネル２３には、アモルファスセレンなどからなる変換層でＸ線を直接電荷に変換する直接変換型のＦＰＤを用いてもよい。
【００２６】
放射線発生器１３は、Ｘ線を発生するＸ線管２６と、Ｘ線管２６が発生したＸ線の照射範囲を限定するコリメータ２７と、設定パネル２８とを備えている。放射線発生器１３は、例えば、撮影室１１の天井１１ｂに設置されたつり下げ式スタンド２９に保持され、撮影台１２の上で移動自在となっている。
【００２７】
周知のようにＸ線管２６は、高電圧によって加速した電子をターゲットに衝突させてＸ線を発生する。Ｘ線管２６では、供給されたエネルギーの９９％が熱となり、実際にＸ線として利用されるのは残りの若干１％程度である。したがって、Ｘ線管２６に繰り返しＸ線を発生させると、Ｘ線管２６に熱が蓄積されて高温になり、ターゲットが溶解してＸ線管２６が破損する。
【００２８】
Ｘ線管２６に蓄積された熱量を表す単位として、ヒートユニット（ＨＵ）値が用いられている。このＨＵ値は、Ｘ線管の大きさ、すなわちＸ線管が破損しない最大蓄積熱量を表す場合にも用いられる。例えば、Ｘ線管の大きさを表す際に、５ＭＨＵ（５メガ・ヒートユニット）のＸ線管球などと呼び、最大熱容量が大きいほどＸ線照射を連続して行うことができることになる。このＨＵ値は、数式１に示すようにＸ線管にかける管電圧Ｕ（ｋＶ）、管電流Ｉ（ｍＡ）及び撮影時間Ｔ（ｓ）と、係数Ｋの積で表せられる。係数Ｋは、Ｘ線管２６に高電圧を供給する高電圧発生装置の種類によって異なっており、例えば単相全波では「０」、３相全波で「１．３５」、定電圧で「１．４１」である。
ＨＵ値＝Ｕ×Ｉ×Ｔ×Ｋ・・・・数式１
【００２９】
図２に示すように、設定パネル２８には、タッチパネル３２が設けられている。タッチパネル３２には、Ｘ線管２６から照射されるＸ線の線量を規定するための撮影条件等を設定するための設定画面３３が表示される。設定画面３３は、例えば撮影方法設定部３４と、撮影機能選択部３５とを備えている、撮影方法設定部３４には、撮影部位を選択する部位選択部３６、管電圧設定部３７、管電流設定部３８及び撮影時間設定部３９、撮影サイズを選択するサイズ選択部４０、Ｘ線受像パネル２３の撮影エリアを設定する撮影エリア設定部４１、Ｘ線の線量の単位を選択する単位選択部４２、術者に対する各種メッセージを表示するメッセージ表示部４３等を備えている。
【００３０】
撮影機能選択部３５は、臥位撮影と、被検者を起立させた状態で撮影する立位撮影とを選択する撮影体位選択部４５と、被検者に照射するＸ線の線量を自動制御する自動露出制御機能に用いるセンサに関する設定を行うセンサ設定部４６と、自動露出制御機能のオン／オフを行うＡＥＣ設定部４７と、被検者の体格に応じて撮影条件を補正する補正部４８と、自動露出制御機能の補正を行うＡＥＣ補正部４９等を備えている。
【００３１】
コンソール１６は、例えばコンピュータと、モニタ、キーボード、マウス等からなり、設定パネル２８と同様に撮影条件の設定の他、撮影操作、Ｘ線画像の表示等を行う。
【００３２】
図１及び図３に示すように、制御ユニット１４は、Ｘ線受像パネル２３を制御するパネル制御装置５２と、Ｘ線管２６にＸ線を発生させる高電圧発生装置５３と、放射線撮影システム全体を統轄的に制御する放射線制御装置５４からなる。これらの装置５２〜５４は、コンソール１６、Ｘ線受像パネル２３、Ｘ線管２６、設定パネル２８にそれぞれ接続されている。パネル制御装置５２は、放射線発生器１３のＸ線照射に同期してＸ線受像パネル２３にＸ線を受像させ、Ｘ線受像パネル２３から送信された画像データに画像補正を施し、コンソール１６に送信する。
【００３３】
高電圧発生装置５３は、設定された撮影条件に基づいて発生した高電圧をＸ線管２６に供給する。高電圧発生装置５３は、例えば、設定可能な撮影条件を格納した撮影条件テーブルを備えており、入力された撮影条件が設定可能か否かを撮影条件テーブルを参照して判定する。また、高電圧発生装置５３は、Ｘ線管２６に蓄積されている熱量をＨＵ値を用いて管理している。
【００３４】
図４に示すように放射線制御装置５４は、制御部５７、通信部５８、撮影条件リスト取得部５９、ストレージ６０、マスターデータ管理部６１、撮影条件判定部６２、蓄積熱量取得部６３、予測熱量算出部６４、撮影可否判定部６５を備えている。制御部５７は、例えば各種演算処理を行うＣＰＵと、ＣＰＵにおいて実行される制御プログラムや制御データ等を記憶したＲＯＭと、各種データの一次記憶に利用されるＲＡＭ等からなり、放射線制御装置５４全体を統轄的に制御する。通信部５８は、コンソール１６、設定パネル２８、パネル制御装置５２、高電圧発生装置５３との間で各種情報を送受信する。
【００３５】
撮影条件リスト取得部５９は、高電圧発生装置５３の撮影条件テーブルと同様の内容を有する撮影条件リストを作成する。図５に示すように、撮影条件リスト取得部５９は、例えば、放射線撮影システム１０の設置時に、高電圧発生装置５３に対し、撮影条件の設定と、高電圧発生装置５３において判定された撮影条件の設定可否に関する情報の受信とを複数種類の撮影条件を用いて繰り返し、設定可能であった撮影条件に基づいて撮影条件リストを作成する。
【００３６】
図６は、撮影条件リスト取得部５９によって作成される撮影条件リストの一例である。この撮影条件リスト６８は、管電圧ごとに作成された複数の３次元テーブル６９ａ〜６９ｎからなり、各３次元テーブル６９は、縦軸に撮影時間、横軸が管電流とされている。また、３次元テーブル６９は、小焦点、大焦点、設定不可に区分されており、設定された撮影条件が設定可能か否かが迅速に判定できるようになっている。作成された撮影条件リスト６８は、メモリまたはハードディスク等のストレージ６０に記憶される。
【００３７】
ストレージ６０内には、高電圧発生装置５３において設定可能な既知の撮影条件を登録した撮影条件マスターデータ７２も記憶されている。この撮影条件マスターデータ７２には、例えば、設定パネル２８等に予め登録されている撮影メニュー等に対応した撮影条件が登録されている。マスターデータ管理部６１は、撮影条件マスターデータ７２に登録がないが、撮影条件リスト６８には登録がある撮影条件があったときに、その撮影条件を撮影条件マスターデータ７２に追加する。
【００３８】
撮影条件判定部６２は、設定パネル２８等から撮影条件が入力されたときに、撮影条件マスターデータ７２、撮影条件リスト６８の順に参照し、入力された撮影条件が高電圧発生装置５３に設定可能か否かを判定する。
【００３９】
なお、撮影条件リスト６８の作成に用いられる撮影条件は、例えば、高電圧発生装置５３に設定可能か否かの境界近傍の撮影条件が用いられる。この境界近傍の撮影条件とは、例えば、撮影条件マスターデータ７２に登録されている撮影条件の境界と、高電圧発生装置に設定不可能であることが明らかな撮影条件の境界等である。これにより、少ない撮影条件の問い合わせ回数で、設定可能な撮影条件リストを得ることができる。
【００４０】
蓄積熱量取得部６３は、高電圧発生装置５３によって管理されているＸ線管２６の蓄積熱量ＨＵｃを所定間隔、例えば１秒間隔で取得する。予測熱量算出部６４は、撮影条件判定部６２によって設定可能であると判定された撮影条件を用いて撮影を行ったときに、Ｘ線管２６に蓄積される予測熱量ＨＵｎを、上述した数式１を用いて算出する。
【００４１】
撮影可否判定部６５は、蓄積熱量ＨＵｃ及び予測熱量ＨＵｎと、Ｘ線管２６の最大蓄積熱量ＨＵｍとから、即時撮影が可能か否かを判定する。具体的には、数式２に示すように、蓄積熱量ＨＵｃと予測熱量ＨＵｎとを加算した予測蓄積熱量ＨＵｃ＋ＨＵｎと、最大蓄積熱量ＨＵｍとを比較し、予測蓄積熱量ＨＵｃ＋ＨＵｎが最大蓄積熱量ＨＵｍ以下であるときには、即時撮影が可能であると判定する。
【００４２】
また、撮影可否判定部６５は、予測蓄積熱量ＨＵｃ＋ＨＵｎが最大蓄積熱量ＨＵｍ以上であるときには、Ｘ線管２６が冷却されて撮影が可能になるまでの待ち時間を算出する。待ち時間の算出には、例えば、図７に示すＸ線管の加熱・冷却曲線が用いられる。加熱曲線は、Ｘ線管２６に連続的にＸ線を発生させ、Ｘ線管２６に熱的負荷をかけた場合に、Ｘ線管２６に熱量が蓄積されていく状態を示したものである。縦軸は、Ｘ線管２６に蓄積される残留熱量（ｋＪ）、横軸は負荷時間（ｍｉｎ）である。Ｘ線管２６の冷却を行わずにＸ線照射を繰り返した場合、Ｘ線管２６に蓄積される熱量は徐々に増加していく。また、冷却曲線は、Ｘ線照射を中止したときにＸ線管２６が蓄積している熱量が徐々に減少し、冷却されていく状態を表している。
【００４３】
撮影可否判定部６５は、下記数式２を用いて予測蓄積熱量ＨＵｃ＋ＨＵｎを熱量ｋＪに換算し、その熱量がＸ線管２６の最大蓄積熱量ＨＵｍに相当する熱量、例えば図７の９００ｋＪ以上であるときには、冷却曲線のピーク付近の接線の直線から近似式によって待ち時間を算出する。図７に示す加熱・冷却曲線では、例えば、１０ｋＪの熱量が冷却されるのに１分程度の時間が必要となる。
２１０ｋＪ＝３００ｋＨＵ・・・数式２
【００４４】
次に、上記実施形態の作用について、図８を参照しながら説明する。図３に示すように、コンソール１６または設定パネル２８で設定された撮影条件は、放射線制御装置５４に入力される。図４に示すように、放射線制御装置５４の撮影条件判定部６２は、ストレージ６０内に記憶した撮影条件マスターデータ７２を参照し、入力された撮影条件が設定可能か否かを判定する。撮影条件マスターデータ７２に、入力された撮影条件が無かった場合には、撮影条件判定部６２は、撮影条件リスト６８を参照し、入力された撮影条件が設定可能か否かを判定する。
【００４５】
撮影条件リスト６８に、入力された撮影条件があった場合には、マスターデータ管理部６１は、入力された撮影条件を撮影条件マスターデータ７２に追加する。また、撮影条件リスト６８に、入力された撮影条件が無かった場合には、制御部５７は、通信部５８を介してコンソール１６及び設定パネル２８に判定結果を送信し、例えばメッセージ表示部４３に「設定不可」と表示させる。
【００４６】
また、入力された撮影条件が撮影条件マスターデータ７２または撮影条件リスト６８にあった場合には、撮影可否判定部６５は、即時撮影が可能か否かを判定する。撮影可否判定部６５は、蓄積熱量取得部６３が一定間隔で高電圧発生装置５３から取得している蓄積熱量ＨＵｃと、予測熱量算出部６４が入力された撮影条件に基づいて算出した予測熱量ＨＵｎとを加算し、Ｘ線管２６の最大蓄積熱量ＨＵｍと比較する。予測蓄積熱量ＨＵｃ＋ＨＵｎが最大蓄積熱量ＨＵｍよりも小さいときには、制御部５７は、通信部５８を介してコンソール１６及び設定パネル２８に判定結果を送信し、例えばメッセージ表示部４３に「撮影可能」と表示させる。
【００４７】
また、予測蓄積熱量ＨＵｃ＋ＨＵｎが最大蓄積熱量ＨＵｍよりも大きいときには、撮影可否判定部６５は、加熱・冷却曲線を用いて撮影が可能になるまでの待ち時間を算出する。例えば、予測蓄積熱量ＨＵｃ＋ＨＵｎが１３２０ｋＨＵであった場合、熱量は９２０ｋＪとなるので、図７に示す冷却曲線のピーク値に比べて２０ｋＪのオーバーとなる。この場合、冷却曲線のピーク付近の接線の直線から近似式によって算出した待ち時間は、およそ２分となる。制御部５７は、通信部５８を介してコンソール１６及び設定パネル２８に待ち時間を送信し、例えばメッセージ表示部４３に表示させる。なお、待ち時間の表示は、時間の経過が分るように表示するのが好ましい。
【００４８】
撮影条件を変更する場合には、上記手順が繰り返される。このように、本発明は高電圧発生装置５３に撮影条件の設定及び即時撮影の可否を問い合わせる必要がなくなるので、撮影条件の設定、変更にかかる時間が短縮され、操作性が向上する。また、撮影可能になるまでの待ち時間を表示するので、Ｘ線管２６の冷却を待つか、あるいは撮影条件を変更するかの選択が容易になる。
【００４９】
なお、上記実施形態の撮影条件リストの作成は、放射線撮影システム１０の設置時に行ったが、放射線撮影システム１０の起動時、または終了時に行ってもよい。また、高電圧発生装置５３に撮影条件を何度も問い合わせて撮影条件リストを作成したが、この手法は、高電圧発生装置５３が撮影条件テーブルを外部装置に出力できない場合に有効である。したがって、高電圧発生装置５３が撮影条件テーブルを外部装置に出力できる場合には、上述した撮影条件リストの作成を行わずに、撮影条件テーブルを高電圧発生装置５３から取得するのが好ましい。また、上記実施形態では、撮影条件の設定可否と、即時撮影の可否及び待ち時間とを、入力手段の一例として説明したコンソール１６及び設定パネル２８に送信したが、例えば音声案内を行う音声出力装置に送信してもよい。
【符号の説明】
【００５０】
１０  放射線撮影システム
１３  放射線発生器
１４  制御ユニット
１６  コンソール
２６  Ｘ線管
２８  設定パネル
３３  設定画面
５３  高電圧発生装置
５４  放射線制御装置
５８  通信部
５９  撮影条件リスト取得部
６１  マスターデータ管理部
６２  撮影条件判定部
６３  蓄積熱量取得部
６４  予測熱量算出部
６５  撮影可否判定部
６８  撮影条件リスト
７２  撮影条件マスターデータ
【図１】
2011067543.tif 000003
【図２】
2011067543.tif 000004
【図３】
2011067543.tif 000005
【図４】
2011067543.tif 000006
【図５】
2011067543.tif 000007
【図６】
2011067543.tif 000008
【図７】
2011067543.tif 000009
【図８】
2011067543.tif 000010